(57)【要約】      （修正有）【課題】通信を介して配信されるコンテンツの音声をユーザの好みに適した音質で出力することのできる楽曲コンテンツ再生システム、楽曲コンテンツ再生装置及びコンピュータプログラムを提供する。【解決手段】音声補正情報サーバ７は楽曲コンテンツを再生するＡＶ装置１に配信される楽曲のコンテンツを収集し、楽曲のコンテンツのオーディオデータを楽曲のオリジナルのオーディオデータに補正するために必要な音声調整の特性を音声補正情報作成部７５で作成し保持する。ＡＶ装置１は、再生するコンテンツの音声補正情報を音声補正情報サーバ７から取得し、音声補正情報が表す音声調整の特性分、オリジナル楽曲データベース７３との差分を差分算出部７４で算出し、補正した音声調整特性で、コンテンツのオーディオデータの音声調整を行って出力する。【選択図】図２
2016170244.tif 000002
【特許請求の範囲】
【請求項１】
情報サーバと、楽曲のオーディオデータを含むオーディオコンテンツもしくはビデオコンテンツである楽曲コンテンツを再生する楽曲コンテンツ再生装置とを備えた楽曲コンテンツ再生システムであって、
前記楽曲コンテンツ再生装置は、
通信を介して配信される楽曲コンテンツが再生対象に設定されたときに、当該楽曲コンテンツを通信を介して取得する楽曲コンテンツ取得手段と、
前記楽曲コンテンツ取得手段が取得した楽曲コンテンツのオーディオデータが表す音声を、現用音声調整特性として設定された音声調整特性で音声調整する音声調整手段と、
前記音声調整手段が音声調整した楽曲の音声を出力する出力手段と、
前記音声調整手段に前記現用音声調整特性を設定する音声調整特性設定手段とを有し、
前記情報サーバは、
通信を介して前記楽曲コンテンツ再生装置に配信される楽曲コンテンツの各々について設けられた、当該楽曲コンテンツのオーディオデータが表す音声を、当該楽曲のオリジナルのオーディオデータが表す音声と同一の音声または近似した音声に音声調整するための音声調整特性を表す音声補正情報を、当該楽曲コンテンツの音声補正情報として格納した音声補正情報格納手段と、
通信を介して前記楽曲コンテンツ再生装置から要求された楽曲コンテンツの音声補正情報を、要求元の楽曲コンテンツ再生装置に送信する音声補正情報提供手段とを有し、
前記楽曲コンテンツ再生装置の音声調整特性設定手段は、通信を介して配信される楽曲コンテンツが再生対象に設定されたときに、通信を介して当該楽曲コンテンツの音声補正情報を、前記情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定することを特徴とする楽曲コンテンツ再生システム。
【請求項２】
情報サーバと、楽曲のオーディオデータを含むオーディオコンテンツもしくはビデオコンテンツである楽曲コンテンツを再生する楽曲コンテンツ再生装置とを備えた楽曲コンテンツ再生システムであって、
前記楽曲コンテンツ再生装置は、
通信を介して配信される楽曲コンテンツが再生対象に設定されたときに、当該楽曲コンテンツを通信を介して取得する楽曲コンテンツ取得手段と、
前記楽曲コンテンツ取得手段が取得した楽曲コンテンツのオーディオデータが表す音声を、現用音声調整特性として設定された音声調整特性で音声調整する音声調整手段と、
前記音声調整手段が音声調整した楽曲の音声を出力する出力手段と、
前記音声調整手段に前記現用音声調整特性を設定する音声調整特性設定手段とを有し、
前記情報サーバは、
通信を介して前記楽曲コンテンツ再生装置に楽曲コンテンツを配信する配信元の各々について設けられた、当該配信元が配信する楽曲コンテンツのオーディオデータが表す音声を、当該楽曲のオリジナルのオーディオデータが表す音声と同一の音声または近似した音声に音声調整するための音声調整特性を表す音声補正情報を、当該配信元の音声補正情報として格納した音声補正情報格納手段と、
通信を介して前記楽曲コンテンツ再生装置から要求された配信元の音声補正情報を、要求元の楽曲コンテンツ再生装置に送信する音声補正情報提供手段とを有し、
前記楽曲コンテンツ再生装置の音声調整特性設定手段は、通信を介して配信される楽曲コンテンツが再生対象に設定されたときに、通信を介して当該楽曲コンテンツを配信する配信元の音声補正情報を、前記情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定することを特徴とする楽曲コンテンツ再生システム。
【請求項３】
請求項１記載の楽曲コンテンツ再生システムであって、
前記情報サーバは、
通信を介して前記楽曲コンテンツ再生装置に楽曲コンテンツを配信する配信元の各々にから楽曲コンテンツを収集する収集手段と、
各楽曲のオリジナルのオーディオデータまたは当該オリジナルオーディオデータが表す音声の音質または音場に関わる特性をオリジナル情報として格納したオリジナル情報データベースと、
前記収集した楽曲コンテンツの前記音声補正情報を、当該収集した楽曲コンテンツのオーディオデータの音声の音質または音場に関わる特性と、前記オリジナル情報データベースに格納されている当該楽曲コンテンツの楽曲のオリジナル情報から求まる当該楽曲のオリジナルのオーディオデータの音声の音質または音場に関わる特性との相違に基づいて作成し、前記音声補正情報格納手段に格納する音声補正情報作成手段とを有することを特徴とする楽曲コンテンツ再生システム。
【請求項４】
請求項２記載の楽曲コンテンツ再生システムであって、
前記情報サーバは、
通信を介して前記楽曲コンテンツ再生装置に楽曲コンテンツを配信する配信元の各々にから楽曲コンテンツを収集する収集手段と、
各楽曲のオリジナルのオーディオデータまたは当該オリジナルオーディオデータが表す音声の音質または音場に関わる特性をオリジナル情報として格納したオリジナル情報データベースと、
前記配信元毎の音声補正情報を、当該配信元から収集した楽曲コンテンツのオーディオデータの音声の音質または音場に関わる特性と、前記オリジナル情報データベースに格納されている当該楽曲コンテンツの楽曲のオリジナル情報から求まる当該楽曲のオリジナルのオーディオデータの音声の音質または音場に関わる特性との相違に基づいて作成し、前記音声補正情報格納手段に格納する音声補正情報作成手段とを有することを特徴とする楽曲コンテンツ再生システム。
【請求項５】
請求項１、２、３、または４記載の楽曲コンテンツ再生システムであって、
前記楽曲コンテンツ再生装置は、楽曲コンテンツを記憶した、リムーバブルまたは非リムーバブルな記憶媒体を備え、
前記楽曲コンテンツ取得手段は、前記記憶媒体に記憶された楽曲コンテンツが再生対象に設定されたときに、当該楽曲コンテンツを前記記憶媒体から取得し、
前記楽曲コンテンツ再生装置の音声調整特性設定手段は、前記記憶媒体に記憶された楽曲コンテンツが再生対象に設定されたときに、前記プリセット音声調整特性を前記現用音声調整特性として前記音声調整手段に設定することを特徴とする楽曲コンテンツ再生システム。
【請求項６】
請求項１、２、３、４または５記載の楽曲コンテンツ再生システムであって、
前記楽曲コンテンツ再生装置には、楽曲コンテンツを記憶したポータブル装置を接続可能であり、
前記楽曲コンテンツ取得手段は、前記ポータブル装置に記憶された楽曲コンテンツが再生対象に設定されたときに、当該楽曲コンテンツを前記ポータブル装置から取得し、
前記楽曲コンテンツ再生装置の音声調整特性設定手段は、前記ポータブル装置に記憶された楽曲コンテンツが再生対象に設定されたときに、前記プリセット音声調整特性を前記現用音声調整特性として前記音声調整手段に設定することを特徴とする楽曲コンテンツ再生システム。
【請求項７】
請求項１、２、３、４、５または６記載の楽曲コンテンツ再生システムであって、
前記音声調整特性は、少なくとも、ゲインの周波数特性を表し、
前記音声調整手段は、前記音声調整として、少なくとも、楽曲コンテンツのオーディオデータが表す音声の各周波数帯域の音声成分を、前記現用音声調整特性が表すゲインの周波数特性に従った当該周波数帯域のゲインで増減する処理を行うことを特徴とする楽曲コンテンツ再生システム。
【請求項８】
請求項１、２、３、４、５、６または７記載の楽曲コンテンツ再生システムであって、
前記通信を介した楽曲コンテンツの前記楽曲コンテンツ再生装置への配信は、ラジオ放送とインターネットラジオのうちの少なくとも一方によって行われることを特徴とする楽曲コンテンツ再生システム。
【請求項９】
楽曲のオーディオデータを含むオーディオコンテンツもしくはビデオコンテンツである楽曲コンテンツを再生する、通信を介して所定の情報サーバにアクセス可能な楽曲コンテンツ再生装置であって、
前記情報サーバは、通信を介して前記楽曲コンテンツ再生装置に配信される楽曲コンテンツの各々について設けた、音声調整特性を表す音声補正情報を、前記楽曲コンテンツ再生装置から要求に応じて提供し、
当該楽曲コンテンツ再生装置は、
通信を介して配信される楽曲コンテンツが再生対象に設定されたときに、当該楽曲コンテンツを通信を介して取得する楽曲コンテンツ取得手段と、
前記楽曲コンテンツ取得手段が取得した楽曲コンテンツのオーディオデータが表す音声を、現用音声調整特性として設定された音声調整特性で音声調整する音声調整手段と、
前記音声調整手段が音声調整した楽曲の音声を出力する出力手段と、
前記音声調整手段に前記現用音声調整特性を設定する音声調整特性設定手段とを有し、
音声調整特性設定手段は、通信を介して配信される楽曲コンテンツが再生対象に設定されたときに、通信を介して当該楽曲コンテンツの音声補正情報を、前記情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定することを特徴とする楽曲コンテンツ再生装置。
【請求項１０】
楽曲のオーディオデータを含むオーディオコンテンツもしくはビデオコンテンツである楽曲コンテンツを再生する、通信を介して所定の情報サーバにアクセス可能な楽曲コンテンツ再生装置であって、
前記情報サーバは、通信を介して前記楽曲コンテンツ再生装置に楽曲コンテンツを配信する配信元の各々について設けた、音声調整特性を表す音声補正情報を、当該楽曲コンテンツ再生装置から要求に応じて提供し、
当該楽曲コンテンツ再生装置は、
通信を介して配信される楽曲コンテンツが再生対象に設定されたときに、当該楽曲コンテンツを通信を介して取得する楽曲コンテンツ取得手段と、
前記楽曲コンテンツ取得手段が取得した楽曲コンテンツのオーディオデータが表す音声を、現用音声調整特性として設定された音声調整特性で音声調整する音声調整手段と、
前記音声調整手段が音声調整した楽曲の音声を出力する出力手段と、
前記音声調整手段に前記現用音声調整特性を設定する音声調整特性設定手段とを有し、
音声調整特性設定手段は、通信を介して配信される楽曲コンテンツが再生対象に設定されたときに、通信を介して当該楽曲コンテンツを配信する配信元の音声補正情報を、前記情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定することを特徴とする楽曲コンテンツ再生装置。
【請求項１１】
請求項９または１０記載の楽曲コンテンツ再生装置であって、
楽曲コンテンツを記憶した、リムーバブルまたは非リムーバブルな記憶媒体を備え、
前記楽曲コンテンツ取得手段は、前記記憶媒体に記憶された楽曲コンテンツが再生対象に設定されたときに、当該楽曲コンテンツを前記記憶媒体から取得し、
前記音声調整特性設定手段は、前記記憶媒体に記憶された楽曲コンテンツが再生対象に設定されたときに、前記プリセット音声調整特性を前記現用音声調整特性として前記音声調整手段に設定することを特徴とする楽曲コンテンツ再生装置。
【請求項１２】
請求項９、１０または１１記載の楽曲コンテンツ再生装置であって、
当該楽曲コンテンツ再生装置には、楽曲コンテンツを記憶したポータブル装置を接続可能であり、
前記楽曲コンテンツ取得手段は、前記ポータブル装置に記憶された楽曲コンテンツが再生対象に設定されたときに、当該楽曲コンテンツを前記ポータブル装置から取得し、
前記音声調整特性設定手段は、前記ポータブル装置に記憶された楽曲コンテンツが再生対象に設定されたときに、前記プリセット音声調整特性を前記現用音声調整特性として前記音声調整手段に設定することを特徴とする楽曲コンテンツ再生装置。
【請求項１３】
請求項９、１０、１１または１２記載の楽曲コンテンツ再生装置であって、
前記音声調整特性は、少なくとも、ゲインの周波数特性を表し、
前記音声調整手段は、前記音声調整として、少なくとも、楽曲コンテンツのオーディオデータが表す音声の各周波数帯域の音声成分を、前記現用音声調整特性が表すゲインの周波数特性に従った当該周波数帯域のゲインで増減する処理を行うことを特徴とする楽曲コンテンツ再生装置。
【請求項１４】
請求項８、９、１０、１１、１２または１３記載の楽曲コンテンツ再生装置であって、
前記通信を介した楽曲コンテンツの前記楽曲コンテンツ再生装置への配信は、ラジオ放送とインターネットラジオのうちの少なくとも一方によって行われることを特徴とする楽曲コンテンツ再生装置。
【請求項１５】
コンピュータによって読み取られ実行されるコンピュータプログラムであって、
当該コンピュータプログラムは、前記コンピュータを、
通信を介して配信される楽曲コンテンツが再生対象に設定されたときに、当該楽曲コンテンツを通信を介して取得する楽曲コンテンツ取得手段と、
前記楽曲コンテンツ取得手段が取得した楽曲コンテンツのオーディオデータが表す音声を、現用音声調整特性として設定された音声調整特性で音声調整する音声調整手段と、
前記音声調整手段が音声調整した楽曲の音声を出力する出力手段と、
前記音声調整手段に前記現用音声調整特性を設定する音声調整特性設定手段と、
通信を介して所定の情報サーバにアクセスする情報サーバアクセス手段として機能させ、
前記情報サーバは、通信を介して前記楽曲コンテンツ再生装置に配信される楽曲コンテンツの各々について設けた、音声調整特性を表す音声補正情報を、前記楽曲コンテンツ再生装置から要求に応じて提供するものであり、
音声調整特性設定手段は、通信を介して配信される楽曲コンテンツが再生対象に設定されたときに、前記情報サーバアクセス手段によって前記情報サーバにアクセスし、当該楽曲コンテンツの音声補正情報を当該情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定することを特徴とするコンピュータプログラム。
【請求項１６】
コンピュータによって読み取られ実行されるコンピュータプログラムであって、
当該コンピュータプログラムは、前記コンピュータを、
通信を介して配信される楽曲コンテンツが再生対象に設定されたときに、当該楽曲コンテンツを通信を介して取得する楽曲コンテンツ取得手段と、
前記楽曲コンテンツ取得手段が取得した楽曲コンテンツのオーディオデータが表す音声を、現用音声調整特性として設定された音声調整特性で音声調整する音声調整手段と、
前記音声調整手段が音声調整した楽曲の音声を出力する出力手段と、
前記音声調整手段に前記現用音声調整特性を設定する音声調整特性設定手段と、
通信を介して所定の情報サーバにアクセスする情報サーバアクセス手段として機能させ、
前記情報サーバは、通信を介して前記楽曲コンテンツ再生装置に楽曲コンテンツを配信する配信元の各々について設けた、音声調整特性を表す音声補正情報を、当該楽曲コンテンツ再生装置から要求に応じて提供するものであり、
前記音声調整特性設定手段は、通信を介して配信される楽曲コンテンツが再生対象に設定されたときに、前記情報サーバアクセス手段によって前記情報サーバにアクセスし、当該楽曲コンテンツを配信する配信元の音声補正情報を前記情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定することを特徴とするコンピュータプログラム。
【発明の詳細な説明】
【技術分野】
【０００１】
本発明は、楽曲のオーディオデータを含むオーディオコンテンツもしくはビデオコンテンツである楽曲コンテンツを再生する楽曲コンテンツ再生装置において出力音声の調整を行う技術に関するものである。
【背景技術】
【０００２】
楽曲のオーディオデータを含むオーディオコンテンツもしくはビデオコンテンツである楽曲コンテンツを再生する楽曲コンテンツ再生装置において出力音声の調整を行う技術としては、予めユーザから設定された音声調整特性に従って、楽曲コンテンツの音声の調整を行って出力する技術が知られている（たとえば、特許文献１）。
【０００３】
また、このような音声調整特性に従って音声の調整を行って出力する楽曲コンテンツ再生装置において、音声調整特性を、楽曲コンテンツの楽曲の音楽としてのジャンルに従って切り替える技術も知られている。
【先行技術文献】
【特許文献】
【０００４】
【特許文献１】特開平09-101179号公報
【特許文献２】特開2004-71128号公報
【発明の概要】
【発明が解決しようとする課題】
【０００５】
ユーザから設定された音声調整特性に従って音声の調整を行って出力する楽曲コンテンツ再生装置を利用する場合、ユーザは、CDやDVDやHDDなどのローカルな記録媒体に記録した楽曲コンテンツの出力音声が好みの音質や音場となるように音声調整特性を設定することが一般的である。
【０００６】
一方、楽曲コンテンツ再生装置としては、CDやDVDやHDDなどのローカルな記録媒体に記録した楽曲コンテンツの他に、ラジオ放送やインターネットラジオサービスや動画共有サイトで配信される楽曲コンテンツを再生するものがある。
【０００７】
そして、ラジオ放送やインターネットラジオサービスや動画共有サイトで配信される楽曲コンテンツなどの通信を介して配信される楽曲コンテンツのオーディオデータは、楽曲コンテンツの配信用データの作成者が、楽曲のオリジナルのオーディオデータに対して音声調整を施したオーディオデータである場合がある。また、これらの通信を介して配信される楽曲コンテンツのオーディオデータが表す音声は、圧縮符号化方式やビットレートの相違により、楽曲のオリジナルのオーディオデータが表す音声と音質や音場が異なっている場合がある。
【０００８】
したがって、ユーザがローカルな記録媒体に記録した楽曲コンテンツを再生した楽曲の出力が好みの音質となるように音声調整特性を設定した楽曲コンテンツ再生装置において、通信を介して配信される楽曲コンテンツを、設定された音声調整特性で調整して出力すると、その音質や音場がユーザの好みの音質や音場と異なってしまうことがある。
【０００９】
そこで、本発明は、楽曲コンテンツを再生する楽曲コンテンツ再生装置において、通信を介して配信される楽曲コンテンツを、ユーザの好みに適した音質や音場で出力することを課題とする。
【課題を解決するための手段】
【００１０】
前記課題達成のために、本発明は、情報サーバと、楽曲のオーディオデータを含むオーディオコンテンツもしくはビデオコンテンツである楽曲コンテンツを再生する楽曲コンテンツ再生装置とを備えた楽曲コンテンツ再生システムを提供する。ここで、前記楽曲コンテンツ再生装置は、通信を介して配信される楽曲コンテンツが再生対象に設定されたときに、当該楽曲コンテンツを通信を介して取得する楽曲コンテンツ取得手段と、前記楽曲コンテンツ取得手段が取得した楽曲コンテンツのオーディオデータが表す音声を、現用音声調整特性として設定された音声調整特性で音声調整する音声調整手段と、前記音声調整手段が音声調整した楽曲の音声を出力する出力手段と、前記音声調整手段に前記現用音声調整特性を設定する音声調整特性設定手段とを備えている。また、前記情報サーバは、通信を介して前記楽曲コンテンツ再生装置に配信される楽曲コンテンツの各々について設けられた、当該楽曲コンテンツのオーディオデータが表す音声を、当該楽曲のオリジナルのオーディオデータが表す音声と同一の音声または近似した音声に音声調整するための音声調整特性を表す音声補正情報を、当該楽曲コンテンツの音声補正情報として格納した音声補正情報格納手段と、通信を介して前記楽曲コンテンツ再生装置から要求された楽曲コンテンツの音声補正情報を、要求元の楽曲コンテンツ再生装置に送信する音声補正情報提供手段とを備えている。そして、前記楽曲コンテンツ再生装置の音声調整特性設定手段は、通信を介して配信される楽曲コンテンツが再生対象に設定されたときに、通信を介して当該楽曲コンテンツの音声補正情報を、前記情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定する。
【００１１】
ここで、このような楽曲コンテンツ再生システムにおいて、前記情報サーバは、さらに、通信を介して前記楽曲コンテンツ再生装置に楽曲コンテンツを配信する配信元の各々にから楽曲コンテンツを収集する収集手段と、各楽曲のオリジナルのオーディオデータまたは当該オリジナルオーディオデータが表す音声の音質または音場に関わる特性をオリジナル情報として格納したオリジナル情報データベースと、前記収集した楽曲コンテンツの音声補正情報を、当該収集した楽曲コンテンツのオーディオデータの音声の音質または音場に関わる特性と、前記オリジナル情報データベースに格納されている当該楽曲コンテンツの楽曲のオリジナル情報から求まる当該楽曲のオリジナルのオーディオデータの音声の音質または音場に関わる特性との相違に基づいて作成し、前記音声補正情報格納手段に格納する音声補正情報作成手段とを備えたものであってもよい。
【００１２】
また、前記課題達成のために本発明は、本発明は、情報サーバと、楽曲のオーディオデータを含むオーディオコンテンツもしくはビデオコンテンツである楽曲コンテンツを再生する楽曲コンテンツ再生装置とを備えた楽曲コンテンツ再生システムを提供する。ここで、前記楽曲コンテンツ再生装置は、通信を介して配信される楽曲コンテンツが再生対象に設定されたときに、当該楽曲コンテンツを通信を介して取得する楽曲コンテンツ取得手段と、前記楽曲コンテンツ取得手段が取得した楽曲コンテンツのオーディオデータが表す音声を、現用音声調整特性として設定された音声調整特性で音声調整する音声調整手段と、前記音声調整手段が音声調整した楽曲の音声を出力する出力手段と、前記音声調整手段に前記現用音声調整特性を設定する音声調整特性設定手段とを備えている。また前記情報サーバは、通信を介して前記楽曲コンテンツ再生装置に楽曲コンテンツを配信する配信元の各々について設けられた、当該配信元が配信する楽曲コンテンツのオーディオデータが表す音声を、当該楽曲のオリジナルのオーディオデータが表す音声と同一の音声または近似した音声に音声調整するための音声調整特性を表す音声補正情報を、当該配信元の音声補正情報として格納した音声補正情報格納手段と、通信を介して前記楽曲コンテンツ再生装置から要求された配信元の音声補正情報を、要求元の楽曲コンテンツ再生装置に送信する音声補正情報提供手段とを備えている。そして、前記楽曲コンテンツ再生装置の音声調整特性設定手段は、通信を介して配信される楽曲コンテンツが再生対象に設定されたときに、通信を介して当該楽曲コンテンツを配信する配信元の音声補正情報を、前記情報サーバに要求することにより取得し、取得した音声補正情報を用いて、予め設定されている音声調整特性であるプリセット音声調整特性を、補正後の音声調整特性が、取得した音声補正情報が表す音声調整特性による音声調整に加えてプリセット音声調整特性による音声調整を行う音調調整の音声調整特性となるように補正し、補正した音声調整特性を前記現用音声調整特性として前記音声調整手段に設定する。
【００１３】
ここで、このような楽曲コンテンツ再生システムにおいて、前記情報サーバは、さらに、通信を介して前記楽曲コンテンツ再生装置に楽曲コンテンツを配信する配信元の各々にから楽曲コンテンツを収集する収集手段と、各楽曲のオリジナルのオーディオデータまたは当該オリジナルオーディオデータが表す音声の音質または音場に関わる特性をオリジナル情報として格納したオリジナル情報データベースと、前記配信元毎の音声補正情報を、当該配信元から収集した楽曲コンテンツのオーディオデータの音声の音質または音場に関わる特性と、前記オリジナル情報データベースに格納されている当該楽曲コンテンツの楽曲のオリジナル情報から求まる当該楽曲のオリジナルのオーディオデータの音声の音質または音場に関わる特性との相違に基づいて作成し、前記音声補正情報格納手段に格納する音声補正情報作成手段とを備えたものであってもよい。
【００１４】
ここで、以上の楽曲コンテンツ再生システムでは、前記楽曲コンテンツ再生装置に、楽曲コンテンツを記憶した、リムーバブルまたは非リムーバブルな記憶媒体を備え、前記楽曲コンテンツ取得手段において、前記記憶媒体に記憶された楽曲コンテンツが再生対象に設定されたときに、当該楽曲コンテンツを前記記憶媒体から取得し、前記楽曲コンテンツ再生装置の音声調整特性設定手段において、前記記憶媒体に記憶された楽曲コンテンツが再生対象に設定されたときに、前記プリセット音声調整特性を前記現用音声調整特性として前記音声調整手段に設定するように構成してもよい。
【００１５】
また、以上の楽曲コンテンツ再生システムは、前記楽曲コンテンツ再生装置を、楽曲コンテンツを記憶したポータブル装置を接続可能に構成すると共に、前記楽曲コンテンツ取得手段において、前記ポータブル装置に記憶された楽曲コンテンツが再生対象に設定されたときに、当該楽曲コンテンツを前記ポータブル装置から取得し、前記楽曲コンテンツ再生装置の音声調整特性設定手段において、前記ポータブル装置に記憶された楽曲コンテンツが再生対象に設定されたときに、前記プリセット音声調整特性を前記現用音声調整特性として前記音声調整手段に設定するように構成してもよい。
【００１６】
また、以上の楽曲コンテンツ再生システムは、前記音声調整特性を、少なくとも、ゲインの周波数特性を表すものとし、前記音声調整手段において、前記音声調整として、少なくとも、楽曲コンテンツのオーディオデータが表す音声の各周波数帯域の音声成分を、前記現用音声調整特性が表すゲインの周波数特性に従った当該周波数帯域のゲインで増減する処理を行うように構成してもよい。
【００１７】
また、以上の楽曲コンテンツ再生システムにおいて、前記通信を介した楽曲コンテンツの前記楽曲コンテンツ再生装置への配信は、ラジオ放送とインターネットラジオのうちの少なくとも一方によって行われるものとしてもよい。
【００１８】
以上のような楽曲コンテンツ再生システムによれば、楽曲コンテンツ再生装置が通信を介して取得した楽曲コンテンツを再生出力する際には、情報サーバから取得した、再生する楽曲コンテンツの音声補正情報が表す音声調整特性による音声調整に加えてプリセット音声調整特性による音声調整を行う音調調整の音声調整特性によって、再生出力する音声の音声調整が行われる。ここで、楽曲コンテンツの音声補正情報は、当該楽曲コンテンツのオーディオデータが表す音声を、当該楽曲のオリジナルのオーディオデータが表す音声と同一の音声または近似した音声に音声調整するための音声調整特性であるので、補正した音声調整特性で音声調整した楽曲コンテンツの音声は、楽曲コンテンツのオリジナルのオーディオデータに対してプリセット音声調整特性で音声調整を施した音声と等しい、または、近似したものとなる。また、予め設定されるプリセット音声調整特性としては、楽曲コンテンツのオリジナルのオーディオデータの音声をユーザの好みに応じた音質、音場に調整する音声調整特性が設定されると考えられる。
【００１９】
よって、本楽曲コンテンツ再生システムによれば、通信を介した配信される楽曲コンテンツの音声を、プリセット音声調整特性を設定したユーザの好みに応じた音質、音場で出力することができるようになる。
【発明の効果】
【００２０】
以上のように、本発明によれば、楽曲コンテンツを再生する楽曲コンテンツ再生装置において、通信を介して配信される楽曲コンテンツを、ユーザの好みに適した音質や音場で出力することができる。
【図面の簡単な説明】
【００２１】
【図１】本発明の実施形態に係るＡＶシステムの構成を示すブロック図である。
【図２】本発明の実施形態に係る音声調整情報サーバの構成を示すブロック図である。
【図３】本発明の実施形態に係る音声補正情報を示す図である。
【図４】本発明の実施形態に係る音声調整特性設定処理を示すフローチャートである。
【発明を実施するための形態】
【００２２】
以下、本発明の実施形態について説明する。
図１に、本第１実施形態に係るＡＶ装置１の構成を示す。
図示するように、ＡＶ装置１は、ディスプレイ１０１、ユーザ操作を受け付ける入力装置１０２、外部インタフェース１０３、ラジオ受信機１０４、移動通信装置１０５、スピーカ１０６、音声出力装置１０７、記憶装置１０８、その他の周辺装置１０９、オペレーティングシステム１１０、オペレーティングシステム１１０によって管理されオペレーティングシステム１１０上で稼働するアプリケーションを備えている。
【００２３】
また、ＡＶ装置１は、上述したアプリケーションとして、プレイヤアプリケーション１２１と、音声調整特性設定アプリケーション１２２と、その他のアプリケーション１２３を備えている。
【００２４】
また、音声出力装置１０７は、設定された音声調整特性に従って音声の音質や音場などの音声調整を行うサウンドプロセッサ１０７１と、サウンドプロセッサ１０７１が音声調整を行った音声を増幅してスピーカ１０６に出力するアンプ１０７２とを備えている。ここで、より具体的には、サウンドプロセッサ１０７１は、設定された音声調整特性に従った音声調整として、設定された音声調整特性によって示されるゲインの周波数特性に従った周波数帯域毎のゲインでの音声の増幅/減衰による音声の周波数特性の調整や、設定された音声調整特性によって示される高域補間特性による音声の高域補間や、設定された音声調整特性によって示される低域補間特性による音声の低域補間や、設定された音声調整特性によって示される各チャネルのゲイン特性に従ったゲインでの音声のＬチャネルやＲチャネルなどの各チャネルの増幅/減衰や、設定された音声調整特性によって示されるミキシング特性による音声のＬチャネルやＲチャネルなどの各チャネルの音声のミキシングなどを行う。
【００２５】
ただし、以上のＡＶ装置１は、ハードウエア的には、ＣＰＵやメモリなどを備えたコンピュータを用いて構成されるものであり、オペレーティングシステム１１０や、各アプリケーション１２１-１２３などは、当該コンピュータが、所定のコンピュータプログラムを実行することにより実現されるものである。
【００２６】
さて、このようなＡＶ装置１において、外部インタフェース１０３には、有線通信インタフェースまたは無線通信インタフェースを介して、楽曲を格納したポータブルプレイヤ２を接続可能である。ここで、ポータブルプレイヤ２は、楽曲等のオーディオコンテンツを記憶し、記憶したオーディオコンテンツを再生出力するポータブルオーディオプレイヤやスマートフォンやタブレット装置などの携帯型の装置である。
【００２７】
次に、記憶装置１０８には、楽曲のオーディオコンテンツが記録されている。
また、ラジオ受信機１０４は、ラジオ放送局３から放送されるラジオ放送を受信する装置である。ここで、ラジオ受信機１０４が受信するラジオ放送は、アナログラジオ放送であってもデジタルラジオ放送であってもよい。
【００２８】
また、移動通信装置１０５は、移動通信を介してインターネット４に接続することができる。
次に、プレイヤアプリケーション１２１は、ユーザから入力装置１０２を介してソースモードの選択を受け付ける。ここで、ユーザは、ソースモードとして、ローカルモード、ラジオモード、インターネットラジオモード、動画共有サービスモードのいずれかを選択することができる。
【００２９】
そして、プレイヤアプリケーション１２１は、ソースモードとしてローカルモードが設定されているときは、記憶装置１０８やポータブルプレイヤ２に格納されているオーディオコンテンツの選択を入力装置１０２を介してユーザから受け付け、選択されたオーディオコンテンツを音声出力装置１０７を介してスピーカ１０６に再生出力する。
【００３０】
また、プレイヤアプリケーション１２１は、ソースモードとしてラジオモードが設定されているときには、ラジオ放送局３の選択を入力装置１０２を介してユーザから受け付け、ラジオ受信機１０４にユーザの選択されたラジオ放送局３が行っているラジオ放送を受信させると共に、ラジオ放送で受信したオーディオコンテンツを音声出力装置１０７を介してスピーカ１０６に再生出力する。
【００３１】
また、プレイヤアプリケーション１２１は、ソースモードとしてインターネットラジオモードが設定されているときには、インターネットラジオサービスとステーションの選択を入力装置１０２を介してユーザから受け付けると共に、移動通信を介してインターネット４上の選択されたインターネットラジオサービス５にアクセスし、選択されたステーションで配信されるオーディオコンテンツを受信し、音声出力装置１０７を介してスピーカ１０６に再生出力する。
【００３２】
また、プレイヤアプリケーション１２１は、ソースモードとして動画共有サービスモードが設定されているときには、動画共有サイト６の選択を入力装置１０２を介してユーザから受け付け、移動通信を介してインターネット４上の、選択された動画共有サイト６にアクセスする。そして、動画共有サイト６上のビデオコンテンツの選択を入力装置１０２を介してユーザから受け付けて、動画共有サイト６から選択されたビデオコンテンツの配信を受け、配信を受けたビデオコンテンツのオーディオを音声出力装置１０７を介してスピーカ１０６に再生出力すると共に、配信を受けたビデオコンテンツの動画をディスプレイ１０１に表示出力する。
【００３３】
さて、ここで、本実施形態では、ＡＶ装置１からアクセス可能な音声補正情報サーバ７を、インターネット４上に設けている。
図２に、この音声補正情報サーバ７の構成を示す。
図示するように、音声補正情報サーバ７は、配信コンテンツ収集部７１、音声補正情報提供部７２、オリジナル楽曲データベース７３、差分算出部７４、音声補正情報作成部７５、音声補正情報データベース７６を備えている。
【００３４】
このような音声補正情報サーバ７の構成において、配信コンテンツ収集部７１は、ラジオ受信装置や、インターネットラジオサービス５のクライアントアプリケーションや、動画共有サイト６のクライアントアプリケーションを備えており、これらを利用して、配信コンテンツ収集部７１は、各ラジオ放送局３が放送によって配信しているオーディオコンテンツや、インターネットラジオサービス５が各ステーションで配信しているオーディオコンテンツや、各動画共有サイト６に公開されているビデオコンテンツなどのコンテンツを収集する。
【００３５】
ここで、この配信コンテンツ収集部７１におけるコンテンツの収集は自動的に行う。なお、各動画共有サイト６に公開されているビデオコンテンツの収集は、視聴数の多いビデオコンテンツを優先して収集するように行うのがよい。
【００３６】
また、配信コンテンツ収集部７１は、音声補正情報提供部７２から特定のコンテンツの収集を要求されたときに、当該特定のコンテンツの取得を行う。
次に、オリジナル楽曲データベース７３には、CDやDVDなどに記録された形態や、ネット配信など形態等でリリースされた各楽曲について、当該楽曲のリリースされたオリジナルのオーディオデータが格納されている。すなわち、たとえば、CDやDVDなどに記録された形態でリリースされた楽曲については、当該リリースされたCDやDVDに記録されている当該楽曲のオーディオデータと等しいオーディオデータが格納されている。また、ネット配信などの形態でリリースされた楽曲については、オリジナル楽曲データベース７３には、リリース元またはリリース元からオーソライズされた者がネット配信している当該楽曲のオーディオデータと等しいオーディオデータが格納されている。
【００３７】
そして、差分算出部７４は、配信コンテンツ収集部７１が収集または取得したコンテンツ（オーディオコンテンツまたはビデオコンテンツ）のうちの内容が楽曲のコンテンツのそれぞれを対象コンテンツとして、対象コンテンツのオーディオデータと、対象コンテンツの楽曲のオリジナル楽曲データベース７３に格納されているオリジナルのオーディオデータとの、音質や音場に関わる各種特性の差分を算出する。ここで、算出する差分としては、たとえば、オーディオデータが示す楽曲の周波数帯域（楽曲の音声成分が分布する周波数範囲）の相違や、オーディオデータが示す楽曲の周波数特性（周波数スペクトル）の相違や、オーディオデータが示す楽曲のＬチャネルやＲチャネルなどの各オーディオチャネル間の音量の差の平均の相違などを算出する。
【００３８】
ここで、以上では、オリジナル楽曲データベース７３にリリースされた楽曲のオリジナルのオーディオデータを格納したが、オリジナル楽曲データベース７３には、リリースされた楽曲のオリジナルのオーディオデータの特性の情報のみを格納するようにしても良い。なお、この場合には、オリジナル楽曲データベース７３に情報を格納するオリジナルのオーディオデータの特性としては、差分算出部７４が上述した各種特性の差分を検出できる特性、すなわち、オリジナルのオーディオデータの周波数帯域（楽曲の音声成分が分布する周波数範囲）や、オリジナルのオーディオデータが示す楽曲の周波数特性（周波数スペクトル）や、オリジナルのオーディオデータが示す楽曲のＬチャネルやＲチャネルなどの各オーディオチャネル間の音量の差の平均などを用いる。
【００３９】
さて、次に、音声補正情報作成部７５は、差分算出部７４が算出した差分に基づいて、対象コンテンツのオーディオデータを、対象コンテンツの楽曲のオリジナル楽曲データベース７３に格納されているオリジナルデータと同じまたは近似する音質や音場を有するオーディオデータに補正するために必要となる音声調整の特性を算定し、算定した音声調整の特性を表す音声調整特性情報と、対象コンテンツの識別を表すコンテンツ識別情報とを含めた、図３に示すような音声補正情報を作成し、作成した音声補正情報を対象コンテンツの音声補正情報として音声補正情報データベース７６に格納する。
【００４０】
ここで、音声補正情報作成部７５は、対象コンテンツの収集元がラジオ放送局３である場合には、コンテンツ識別情報として、収集元のラジオ放送局３や収集元のラジオ放送局３の放送チャネルの識別と、対象コンテンツの楽曲の識別などを用い、対象コンテンツの収集元がインターネットラジオサービス５である場合には、コンテンツ識別情報として、収集元のインターネットラジオサービス５のＵＲＬと収集元のステーションの識別と、対象コンテンツの楽曲の識別などを用い、対象コンテンツの収集元が動画共有サイト６である場合には、コンテンツ識別情報として、対象コンテンツのＵＲＬを用いる。
【００４１】
また、音声補正情報作成部７５は、音声調整特性情報として、対象コンテンツの周波数特性をオリジナルデータと同じまたは近似する周波数特性とするための、ゲインの周波数特性や、高域補間の特性や、低域補間の特性や、対象コンテンツの音場をオリジナルデータと同じまたは近似する音場とするための、ＬチャネルやＲチャネルなどの各チャネルのゲインや、ＬチャネルやＲチャネルなどの各チャネルのミキシング特性などを登録する。
【００４２】
さて、図２に戻り、音声補正情報サーバ７の音声補正情報提供部７２は、ＡＶ装置１から、コンテンツ識別情報を伴う音声補正情報要求を受信したならば、そのコンテンツ識別情報が登録されている音声補正情報が音声補正情報データベース７６に格納されているかどうかを調べ、格納されている場合には、格納されていた音声補正情報を音声補正情報要求の送信元のＡＶ装置１に送信する。一方、音声補正情報要求に伴うコンテンツ識別情報が登録されている音声補正情報が音声補正情報データベース７６に格納されていない場合には、コンテンツ識別情報によって識別されるコンテンツ（オーディオコンテンツまたはビデオコンテンツ）を配信コンテンツ収集部７１に収集させると共に、収集したコンテンツの音声補正情報を、差分算出部７４、音声補正情報作成部７５に作成させ、作成された音声補正情報を音声補正情報要求の送信元のＡＶ装置１に送信する。なお、ここで、作成された音声補正情報は、音声補正情報データベース７６にも格納される。
【００４３】
以下、ＡＶ装置１の音声調整特性設定アプリケーション１２２が行う処理について説明する。
ＡＶ装置１の音声調整特性設定アプリケーション１２２は、以下に示すプリセット音声調整特性設定処理と、音声調整特性設定処理とを行う。
まず、プリセット音声調整特性設定処理について説明する。
プリセット音声調整特性設定処理において、ＡＶ装置１の音声調整特性設定アプリケーション１２２は、適当な音声調整特性設定受付画面をディスプレイ１０１に表示し、スピーカ１０６から出力する音声に施す音声調整の特性を規定する音声調整特性の設定を入力装置１０２を介してユーザから受け付け、設定を受け付けた音声調整特性を表すプリセット音声調整特性データを記憶装置１０８に格納する処理を行う。ここで、ユーザは、ソースモードがローカルモードのときにプレイヤアプリケーション１２１によってスピーカ１０６から出力される、記憶装置１０８やポータブルプレイヤ２に格納されているオーディオコンテンツの音声が好みの音声なるように、プリセット音声調整特性とする音声調整特性を設定する。
【００４４】
次に、音声調整特性設定アプリケーション１２２が行う音声調整特性設定処理について説明する。
図４に、プリセット音声調整特性設定処理の手順を示す。
図示するように、プリセット音声調整特性設定処理において、ＡＶ装置１の音声調整特性設定アプリケーション１２２は、まず、プレイヤアプリケーション１２１のソースモードがローカルモードであるかどうかを調べ（ステップ４０２）、ローカルモードであれば、記憶装置１０８に格納されているプリセット音声調整特性データが表す音声調整特性をサウンドプロセッサ１０７１に設定する（ステップ４０４）。そして、プレイヤアプリケーション１２１のソースモードの切替の発生を監視し（ステップ４０６）、ソースモードの切替が発生したならば（ステップ４０６）、ステップ４０２からの処理に戻る。
【００４５】
一方、プレイヤアプリケーション１２１のソースモードがローカルモードでなく、通信を介して取得したコンテンツ（オーディオコンテンツまたはビデオコンテンツ）を再生するモードである、ラジオモード、インターネットラジオモード、動画共有サービスモードのいずれかであれば（ステップ４０２）、プレイヤアプリケーション１２１が再生対象としているコンテンツ(オーディオコンテンツまたはビデオコンテンツ)の識別情報を取得する（ステップ４０８）。
【００４６】
ここで、コンテンツの識別情報としては、上述した音声補正情報のコンテンツ識別情報と同内容を取得する。
そして、取得したコンテンツの識別情報をコンテンツ識別情報として伴う音声補正情報要求を移動通信装置１０５を介して、音声補正情報サーバ７の音声補正情報提供部７２に送信することにより、プレイヤアプリケーション１２１が再生対象としているコンテンツの音声補正情報を音声補正情報サーバ７から取得する（ステップ４１０）。
【００４７】
そして、取得した音声補正情報に従って、記憶装置１０８に格納されているプリセット音声調整特性データが表す音声調整特性を補正した音声調整特性をサウンドプロセッサ１０７１に設定する（ステップ４１２）。
【００４８】
ここで、プリセット音声調整特性データが表す音声調整特性の補正は、補正後の音声調整特性が、取得した音声補正情報が表す音声調整特性による音声調整に加えてプリセット音声調整特性データが示す音声調整特性による音声調整を行う音調調整の音声調整特性となるように行う。すなわち、当該補正は、取得した音声補正情報の音声調整特性情報が示す音声調整特性による音声調整を行ったオーディオデータに対して、プリセット音声調整特性データが表す音声調整特性による音声調整を行った場合に二つの音声調整で得られる音声調整効果と等価な音声調整効果が得られる音声調整特性に、補正後の音声調整特性がなるように行う。
【００４９】
そして、プレイヤアプリケーション１２１が再生対象としているコンテンツの変化の発生（ステップ４１４）と、プレイヤアプリケーション１２１のソースモードの切替の発生（ステップ４１６）とを監視し、再生対象としているコンテンツの変化が発生した場合には（ステップ４１４）、ステップ４０８からの処理に戻り、ソースモードの切替が発生した場合には（ステップ４１６）、ステップ４０２からの処理に戻る。
【００５０】
以上、ＡＶ装置１の音声調整特性設定アプリケーション１２２が行う音声調整特性設定処理について説明した。
以上のような音声調整特性設定処理によれば、プレイヤアプリケーション１２１が記憶装置１０８やポータブルプレイヤ２に格納されているオーディオコンテンツを再生出力するローカルモードにあるときには、ユーザが予め設定したプリセット音声調整特性データが示す音声調整特性がサウンドプロセッサ１０７１に設定され、サウンドプロセッサ１０７１によってプリセット音声調整特性データが示す音声調整特性による、再生出力する音声の音声調整が行われる。
【００５１】
一方、プレイヤアプリケーション１２１が通信を介して取得したコンテンツ(オーディオコンテンツまたはビデオコンテンツ)を再生するモードである、ラジオモード、インターネットラジオモード、動画共有サービスモードのいずれかにあるときには、音声補正情報サーバ７から取得した再生するコンテンツの音声補正情報に従って、記憶装置１０８に格納されているプリセット音声調整特性データが表す音声調整特性を補正した音声調整特性をサウンドプロセッサ１０７１に設定し、サウンドプロセッサ１０７１によって、補正された音声調整特性による、再生出力する音声の音声調整が行われる。
【００５２】
ここで、コンテンツの音声補正情報は、ラジオ放送局３、インターネットラジオサービス５、動画共有サイト６から配信されるコンテンツをオリジナルデータと同じまたは近似する音質や音場を有するオーディオデータに補正するために必要となる音声調整の特性であるので、補正後の音声調整特性が、再生するコンテンツの音声補正情報が表す音声調整特性による音声調整に加えてプリセット音声調整特性データが示す音声調整特性による音声調整を行う音調調整の音声調整特性となるように補正した音声調整特性で音声調整したコンテンツの音声は、コンテンツのオリジナルのオーディオデータに対してプリセット音声調整特性データが表す音声調整特性で音声調整を施した音声の等しい、または、近似したものとなる。
【００５３】
よって、本実施形態によれば、ラジオ放送局３、インターネットラジオサービス５、動画共有サイト６から配信されるコンテンツの音声についても、プリセット音声調整特性データを設定したユーザの好みに応じた音質、音場で出力することができるようになる。
【００５４】
以上、本発明の実施形態について説明した。
ところで、以上では、ラジオ放送局３、インターネットラジオサービス５、動画共有サイト６が配信するコンテンツ毎に音声補正情報を設け、コンテンツ毎に、サウンドプロセッサ１０７１に設定する音声調整特性を補正するようにしたが、全てのコンテンツに同様の音声調整を施して同様の圧縮符号化、ビットレートで配信するラジオ放送局３、インターネットラジオサービス５またはインターネットラジオサービス５のステーションなどの配信元については、当該配信元から配信される各楽曲のコンテンツのオーディオデータの当該楽曲のオリジナルデータに対する差異が同様な差異となることが期待できるので、配信元毎に、サウンドプロセッサ１０７１に設定する音声調整特性を補正するようにしてもよい。
【００５５】
すなわち、この場合には、これら配信元については、音声補正情報データベース７６に配信元毎の音声補正情報を設けると共に、音声補正情報サーバ７及びＡＶ装置１においてコンテンツ識別情報として配信元の識別情報を用いることにより、ＡＶ装置１においてプレイヤアプリケーション１２１が再生対象とするコンテンツの配信元に応じて、当該配信元の音声補正情報を用いてプリセット音声調整特性を補正してサウンドプロセッサ１０７１に設定されるようにすればよい。なお、配信元毎に設ける音声補正情報の音声調整特性情報は、その配信元から取得した任意の楽曲のコンテンツを用いて算定するようにしてよい。
【符号の説明】
【００５６】
１…ＡＶ装置、２…ポータブルプレイヤ、３…ラジオ放送局、４…インターネット、５…インターネットラジオサービス、６…動画共有サイト、７…音声補正情報サーバ、７１…配信コンテンツ収集部、７２…音声補正情報提供部、７３…オリジナル楽曲データベース、７４…差分算出部、７５…音声補正情報作成部、７６…音声補正情報データベース、１０１…ディスプレイ、１０２…入力装置、１０３…外部インタフェース、１０４…ラジオ受信機、１０５…移動通信装置、１０６…スピーカ、１０７…音声出力装置、１０８…記憶装置、１０９…周辺装置、１１０…オペレーティングシステム、１２１…プレイヤアプリケーション、１２２…音声調整特性設定アプリケーション、１０７１…サウンドプロセッサ、１０７２…アンプ。
【図１】
2016170244.tif 000003
【図２】
2016170244.tif 000004
【図３】
2016170244.tif 000005
【図４】
2016170244.tif 000006